(57)【要約】【課題】  操作性が良好でメンテナンスが簡単に行える養生器具の提供。【解決手段】  伸縮ポール５に養生シートを固定するヘッドを設ける。このヘッドは、養生シートの保持プレート（面状保持具）８と、前記面状保持具の受具９で構成され、前記面状保持具と受具間に細溝１０を形成する。養生シートを前記面状保持具と前記受具間に挟み込んで前記溝内で固定し、前記面状保持具を養生シートの被覆面に当接する。【選択図】    図１
2005213965.tif 000002
【特許請求の範囲】
【請求項１】
伸縮ポールに養生シートを固定するヘッドを設けた養生器具であって、前記ヘッドは、養生シートの面状保持具と、前記面状保持具の受具で構成され、前記面状保持具と受具間に溝を形成し、養生シートを前記面状保持具と前記受具間に挟み込んで前記溝内で固定し、前記面状保持具を養生シートの被覆面に当接することを特徴とする、養生器具。
【請求項２】
前記ヘッドと近接した位置の前記伸縮ポールの内部にバネを巻回し、当該バネの外側にカバーを被着したことを特徴とする、請求項１に記載の養生器具。
【請求項３】
前記受具に球状凹部を設け、当該球状凹部に伸縮ポールの先端に設けた球状部材を嵌合し、前記ヘッドが傾き自在となるように構成したことを特徴とする、請求項１または請求項２に記載の養生器具。
【請求項４】
前記球状部材の下部に、円錐台形状となるように複数のリブを放射状に設け、前記リブ間の空間部を外部に露出させたことを特徴とする、請求項１ないし請求項３のいずれかに記載の養生器具。
【発明の詳細な説明】
【技術分野】
【０００１】
本発明は、操作性が良好でメンテナンスが簡単に行える養生器具に関するものである。
【背景技術】
【０００２】
建物の改修工事などを行う際に、工事エリアの区画形成や壁などの損傷防止のために、該当個所にビニールシート（養生シート）を設置している。このような養生シートを天井面や壁面などに取り付ける際には、養生器具が使用される。図９は、特許文献１に記載された養生器具の例を示す説明図である。
【０００３】
図９に示された養生器具において、支柱５０は上部梁部材５４と下部梁部材５５を連結し、天井面５９と床面６０間に固定する。即ち、支柱５０を押し縮めた状態で、支柱５０の長さを天井面５９と床面６０の間隔に合わせる。これにより、支柱５０の両端がロッド５３内の弾性体の付勢力によって天井面５９または床面６０に押し付けられる。この養生器具は、支柱５０が伸縮する伸縮ポールの構成とされている。
【０００４】
支柱５０には、内筒５２、外筒５１が設けられている。また、上部梁部材５４には、密着部材５８が設けられている。なお、上部梁部材５４には押さえバネ５６が設けられており、下部梁部材５５には押さえバネ５７が設けられている。養生シートを天井面５９や壁面などに被覆する際には、前記密着部材５８に養生シートを載置して天井面５９に押し付ける。このような支柱５０を所定数用いて養生シートを支持することにより、天井面や壁面などの必要な個所に対する養生シートの取り付けを行う。
【０００５】
図１０は、他の公知の養生器具に係る例を示す説明図である。この例は、文献には記載されていない。図１０において、養生器具７０は、伸縮ポールと連結される固定台７１に、支持部７６を介してヘッドプレート７２を取り付ける。ヘッドプレート７２には、カバー７３が着脱自在に固定される。このため、カバー７３をヘッドプレート７２から取り外し、両者の部材間に養生シート７５を挟み、カバー７３をヘッドプレート７２に固定することができる。
【０００６】
養生シート７５を挟んだ状態で、図示を省略した伸縮ポールを操作してカバー７３の上面を天井７４の面に押し当て、伸縮ポールの下部を床面に固定することにより、養生シートの設置が可能となる。このような養生器具の操作は一人の作業者により対応でき、養生シートを迅速に設置できるという利点がある。
【０００７】
【特許文献１】特開２０００―１２０２７５号公報
【発明の開示】
【発明が解決しようとする課題】
【０００８】
前記特許文献１に記載の技術は、伸縮ポ−ルを用いているので操作性が高められている。しかしながら、この伸縮ポ−ルには、養生シートを挟む機能が設けられていない。このため、養生シートを天井面等に押さえてから伸縮ポ−ルで固定する必要がある。作業者が一人で養生器具により養生シートを固定するためには、事前にテープ等で養生シートを天井面等に固定する必要があり、作業が煩雑になるという問題があった。また、養生シートにテープを貼っているので養生後にテープを剥がすと養生シートが破損してしまい、再利用ができなくなり廃棄物として処理される。このため、廃棄物が増大すると共に、養生の都度新規の養生シートが必要となりコストが嵩むという問題があった。
【０００９】
また、図１０に示された公知の技術においては、ヘッドプレートとカバーにより養生シートを挟み込むため、養生シートと天井面等の取り付け面との間に隙間が生じ、この隙間から工事で発生した埃等が区画から外部へ漏れてしまう問題があった。また、養生作業は手間が掛かるため、養生の設置・撤去の際に土工などの別の職種の作業者を現揚に入れなければならず、作業工程が長引きコストも増大するという問題があった。
【００１０】
本発明は、従来技術のこのような問題点に鑑みてなされたものであり、その目的は、安価で、しかも操作性に優れており、短時間で作業が行える養生器具を提供することである。
【課題を解決するための手段】
【００１１】
上記目的を達成する本発明の養生器具は、伸縮ポールに養生シートを固定するヘッドを設けた養生器具であって、前記ヘッドは、養生シートの面状保持具と、前記面状保持具の受具で構成され、前記面状保持具と受具間に溝を形成し、養生シートを前記面状保持具と前記受具間に挟み込んで前記溝内で固定し、前記面状保持具を養生シートの被覆面に当接することを特徴とする。
【００１２】
また、本発明は、前記ヘッドと近接した位置の前記伸縮ポールの内部にバネを巻回し、当該バネの外側にカバーを被着したことを特徴とする。
【００１３】
また、本発明は、前記受具に球状凹部を設け、当該球状凹部に伸縮ポールの先端に設けた球状部材を嵌合し、前記ヘッドが傾き自在となるように構成したことを特徴とする。
【００１４】
また、本発明は、前記球状部材の下部に、円錐台形状となるように複数のリブを放射状に設け、前記リブ間の空間部を外部に露出させたことを特徴とする。
【発明の効果】
【００１５】
本発明の養生器具は、次のような格別な効果を奏する。（１）作業者一人で、他の補助作業者や他の工具を必要とせず、簡単に養生シートを設置・撤去することができる。このため、作業工数を削減できる。（２）養生作業が簡単、短時間で誰にでも行え、特別な熟練作業者を必要としない。（３）天井面またはスラブ面などの養生シート取り付け面との間に隙間がなくなり、埃などの流入出がなく、また、目張りなどの後工程も必要なくなる。（４）挟み込んだ養生シートを伸縮ポ−ルで引張るだけで養生できる。このため、養生シートにテープを貼らずにすみ、テープ貼りの煩雑な作業が不要となり、養生シートの再利用が容易になる。また、一度使用した後は廃棄物としていた養生シートが繰り返して使用できるので廃棄物が減少し、養生の際のコストも低減できる。
【発明を実施するための最良の形態】
【００１６】
以下、図を参照して本発明を説明する。図１は、本発明の養生器具を斜め上の方向からみた部分的な斜視図、図２は本発明の養生器具を斜め下の方向からみた部分的な斜視図である。図１、２において、養生器具１は、伸縮ポール５に上部バネ受け２、下部バネ受け３を取り付けている。７はバネカバーで詳細については後述する。
【００１７】
上部バネ受け２の上側には、球状の支点となるコマ１１が配置されており、養生シートの保持プレート８、保持プレート８の受具９がコマ１１に載置される。保持プレート８は、面状保持具として機能している。１０は、保持プレート８と受具９の間に設けられている断面視略Ｕ字状の細溝である。保持プレート８と受具９間に養生シートが挟み込まれて、細溝１０内に固定される。１３は保持プレート８を受具９にワンタッチ動作で固定できるピンストッパーである。保持プレート８と受具９は養生器具のヘッド部分を構成する。このヘッド部分はＡＢＳ樹脂（アクリロニトリルーブタジェンースチレン３元共重合体樹脂）を使用し、軽量化を図っている。また、伸縮ポール５はアルミ製としており、この点でも軽量化が図られる。
【００１８】
図３は、本発明の養生器具の詳細を説明する図であり、図３（ｂ）は平面図、図３（ａ）は図３（ｂ）のＡ−Ａ断面を示す断面図である。伸縮ポールの上側、すなわちヘッドと近接した位置の中心部には心棒４が設けられており、心棒固定部２０にねじ２６で固定される。１７は内筒である。心棒４にはバネ６が巻回されており、バネ６はバネカバー７で被覆されている。このようにバネカバー７を設けているので、バネ６は外部から他の部材が接触するなどにより損傷する事態が避けられ、安全性が高められる。
【００１９】
下部バネ受け３の外周部２４にはバネ固定部２４ａが設けられており、バネ６の先端６ａがバネ固定部２４ａに係合されている。２５はバネ巻回部である。なお、伸縮ポールは、下部バネ受け３の部分から図示下方向に所定の長さ延長されており、床面で支持される。このような伸縮ポールの機構は図９の従来例と同じであるので、詳細な説明は省略する。
【００２０】
上部バネ受け２には、リブ１５、筒状部１６が設けられている。心棒４の上部に設けられているコマ１１は、保持プレート８の受具９に形成されている嵌合部１４に嵌合される。嵌合部１４は、球状凹部を有している。コマ１１は取り付けピン２３と接合されており、取り付けピン２３は心棒４の上端に形成された円筒状溝穴４ａ内に挿入して固定する。取り付けピン２３とコマ１１は鋼製として強度を大きくしている。したがって、ヘッドを天井面などに当接させて養生シートを取り付ける際に、天井面などのからの反力と伸縮ポールからの押圧力とが取り付けピン２３とコマ１１に加わった場合でも、これらの部材の破損を防止することができる。
【００２１】
コマ１１の形状は球状となっているので、前記嵌合部１４の球状凹部内で滑動する。このため、作業者が養生器具を操作することにより保持プレート８の受具９は各方向に傾き自在となる。したがって、養生シートを取り付ける部分の位置や形状などの状況に応じてヘッドを自由に移動させることができるので、養生シートを取り付ける際の作業性が向上する。
【００２２】
養生シート２０は、前記のように保持プレート８と受具９の間に形成されている細溝１０内に固定される。細溝１０は、一方側面に湾曲部１０ａが形成されている。また、他方側面にも湾曲部１０ｂが形成されている。このため、養生シートは細溝１０の両側の湾曲部１０ａ、１０ｂに引き込まれるようになり張力が与えられる。したがって、養生シートをたるみなくヘッドに取り付けることができる。養生シート２０を養生器具１に取り付ける際には、ピンストッパー１３を回動して緩め保持プレート８をスライドさせて受具９から引き出す。受具９に養生シートを載置し、細溝１０に沿って保持プレート８をスライドさせて受具９に嵌め込み、ピンストッパー１３で固定する。
【００２３】
このように、養生シート２０は保持プレート８と受具９の間に形成されている細溝１０内に固定されるので、保持プレート８と受具９の間に空隙が存在しない。このため、工事により発生する塵埃が養生シート２０から漏れ出すことがなくなる。また、目張りなどの後工程も必要なくなる。なお、保持プレート８と受具９の間に形成されている細溝１０は、図３に示したように水平である必要はなく、テーパー面が形成されても良い。
【００２４】
本発明の実施形態においては、すき間レスプレートを実現することができる。すなわち、養生シートを挟み込むプレート受け部分に細溝を設けており、養生シートと天井面または建築用スラブが直接に接する構造としている。このような構成とすることにより、天井面またはスラブ下と養生シートとの間の隙間がなくなり、塵埃などの流入出がなくなる。
【００２５】
また、本発明の実施形態においては、養生器具はバネを用いたスプリングヘッドで構成される。すなわち、伸縮ポ−ルを天井面等に押し当てるとき、天井材等の破損を防止するために伸縮ポ−ルのヘッドと近接した位置にバネを取付けている。さらに、養生器具で天井面等を支持する際に、容易に伸縮ポ−ル部分を伸ばせるように、ヘッド部分の角度が可変となるピン構造としている。
【００２６】
図４は、ピンストッパー１３を説明する図であり、図４（ａ）は平面図、図４（ｂ）は部分的な断面図である。ピンストッパー１３は、押しボタン部１３ａ、バネ部１３ｂ、基部１３ｃからなり保持プレート８内に設けた空所内に設置される。図４（ａ）の位置でピンストッパー１３はオープンとなっており、保持プレート８と受具９間の細溝１０が開放されて養生シートが挿通できる状態となっている。
【００２７】
図４（ａ）の状態から押しボタン部１３ａを押圧してＲ方向に回動させ、オフの位置に移動することにより、押しボタン部１３ａはロックされる。この際に、保持プレート８は受具９と密着して細溝１０は閉鎖される。このように、ワンタッチで押しボタン部１３ａのオープン位置とロック位置とを選択できるので、操作性が良好となる。なお、押しボタン部１３ａは、図４（ａ）に示されているように図示水平方向の両端にオープンの位置が形成され、垂直方向の両端にオフの位置が形成されている。このため、押しボタン部１３ａは３６０度の回転が可能であり、任意の９０度の位置でオープンとオフを選択できる。
【００２８】
図５は、バネカバー７を示す図であり、図５（ａ）は斜視図、図５（ｂ）は平面図である。図５に示されるように、バネカバー７は中心部に伸縮ポール５の心棒４を挿入する空間部７ａを設ける。このため、全体の形状は中空円筒状とされている。バネカバー７は、合成樹脂など適宜の部材を用いる。
【００２９】
図６は上部バネ受け２を示す図である。図６（ａ）は斜め上方向からみた斜視図、図６（ｂ）は斜め下方向からみた斜視図である。上部バネ受け２の固定面２ａと内筒１８には、三角形状のリブ１５が複数取り付けられている。１８ａはコマ１１の取り付けピン２３を挿入する穴、２１は内筒１８と筒状部６とを連結する支杵である。図５の例では、上部バネ受け２に円錐台形状となるように複数のリブ１５を放射状に設けている。
【００３０】
このように、上部バネ受け２には三角形状のリブ１５が内筒１８と固定面２ａ間に概略円錐台形状で放射状に取り付けられており、上部バネ受け２の強度が向上する。また、隣接するリブ間には空間部１５ａが形成されて外部に露出している。このため、塵埃などが滞留しにくい構成であり、塵埃が付着した場合でも簡単に除去できメンテナンスが簡単になる。
【００３１】
なお、図３の例では、リブ１５の断面視がヘッドに向かって先端が細くなる三角形となっている。このため、リブを断面視矩形状とした場合と比較して、ヘッドを傾けたときに移動の妨げにならずヘッドのスイング範囲が大きくとれるという利点がある。さらに、内筒１８と筒状部６とを支杵２１により連結しているので、筒状部６を挿入穴１８ａまで全体にわたり円筒体で構成する場合と比較して材料費を軽減できる。支杵２１は内筒１８と筒状部６間に放射状に配置されるので、十分な強度が得られる。
【００３２】
図８は、下部バネ受け３を示す図であり、図８（ｂ）は平面図、図８（ａ）は図８（ｂ）のＢ−Ｂ断面図である。図８（ａ）、（ｂ）において、心棒固定部２０にはねじ２６の受け座２０ａが形成されている。また、内筒１７の内部には、心棒固定部２０の内周部２０ｂが形成されている。外周部２４と内周部２０ｂ間には、支杵２２が放射状に取り付けられている。
【００３３】
外周部２４に形成されるバネ固定部２４ａの底面からバネ巻回部２５の先端までの長さＸは、図３（ａ）に示されているバネ６を支持し、しかもバネ６が湾曲しない最短の長さに選定される。すなわち、Ｘの長さが短いとポールの操作でバネ６が短縮されたときに、バネ６が湾曲する。また、Ｘの長さが不要に長い場合には材料がむだになる。
【００３４】
したがって、Ｘの長さは、材料がむだにならない範囲で、バネ６を支持するに十分な長さであると共にバネ６の湾曲を防止する機能が得られる最適の長さに選定される。なお、図８（ａ）に示されているように、外周部２４の内部と、バネ巻回部２５および内筒17間に空洞を形成し、軽量化を図っている。
【００３５】
本発明の実施形態にかかる伸縮ポ−ルは、工具を使用せずスライド式に伸縮する形状とし、捻る事により固定される。また、ヘッドに養生シートを挟み込む際にも、工具を使用せずワンタッチ動作で固定できる構成としている。さらに、ヘッド部分はＡＢＳ樹脂（アクリロニトリルーブタジェンースチレン３元共重合体樹脂）を使用し、ポ−ル部分はアルミ製としている。このため、養生器具は軽量になり作業性が良く、移動も容易である。最も強度が必要なヘッド取付ピンは鋼製として、強度アップを図っている。
【００３６】
このような養生器具は、養生シートをヘッドに挟み込んで天井などに当設し、伸縮ポールの長さを調節し下部の固定部を床面に固定する。同様に他の養生器具を必要個所に設置して養生を行う。この際に、横方向に伸縮ポールを引っ張りながら設置することで、天井・床面に隙間無く養生シートを施工することができる。
【００３７】
以上、本発明の実施形態について説明した。本発明はこれら実施例に限定されず種々の変形が可能である。
【産業上の利用可能性】
【００３８】
以上説明したように、本発明によれば、操作性が良好でメンテナンスが簡単に行える養生器具を提供することができる。
【図面の簡単な説明】
【００３９】
【図１】本発明の実施形態を示す斜視図である。
【図２】本発明の実施形態を示す斜視図である。
【図３】本発明の養生器具の例を示す図である。
【図４】本発明の養生器具の例を示す図である。
【図５】本発明の養生器具の例を示す図である。
【図６】上部バネ受けを示す斜視図である。
【図７】上部バネ受けを示す図である。
【図８】下部バネ受けを示す図である。
【図９】従来例を示す説明図である。
【図１０】従来例を示す説明図である。
【符号の説明】
【００４０】
１・・・養生器具、２・・・上部バネ受け、３・・・下部バネ受け、４心棒、５・・・伸縮ポール、６・・・バネ、７・・・バネカバー、８・・・保持プレート、９・・・保持プレートの受具、１０・・・細溝、１１・・・コマ、１３・・・ピンストッパー、１４・・・嵌合部、１５・・・リブ、１８・・・内筒、２０・・・養生シート、２３・・・ヘッド取り付けピン
【図１】
2005213965.tif 000003
【図２】
2005213965.tif 000004
【図３】
2005213965.tif 000005
【図４】
2005213965.tif 000006
【図５】
2005213965.tif 000007
【図６】
2005213965.tif 000008
【図７】
2005213965.tif 000009
【図８】
2005213965.tif 000010
【図９】
2005213965.tif 000011
【図１０】
2005213965.tif 000012